Podtech/llm-jp-corpus-v4-ja_patent huggingface dataset:
(57)【要約】【課題】アウターリードが密集する側面に多数のエアベント、あるいは大きなエアベントを設けることが困難であり、エア抜き不足による未充填やボイドが発生する可能性があり、樹脂封止の際に封止樹脂が基板の上層と下層をバランスよく流動せずにウェルドライン上に未充填やボイドが発生するという課題がある。【解決手段】放熱板１と、基板２と、が樹脂封止体３の短手方向に並べて配置される半導体装置１００において、樹脂封止の際、樹脂封止体３の短手側側面に、エアベント４を配置し、樹脂封止体の長手側側面に、エアベント４から乖離してゲート５を配置する製造方法にて製造されることを特徴とする半導体装置。【選択図】図１
2016051832.tif 000002
【特許請求の範囲】
【請求項１】
放熱板１と、基板２と、が樹脂封止体３の短手方向に並べて配置される半導体装置１００において、樹脂封止の際、樹脂封止体３の短手側側面に、エアベント４を配置し、樹脂封止体の長手側側面に、エアベントから乖離してゲート５を配置する製造方法にて製造されることを特徴とする半導体装置。
【発明の詳細な説明】
【技術分野】
【０００１】
本発明は、樹脂封止した半導体装置に関し、特に樹脂注入ゲートとエアベントを選択的に配置した最適な成形方法を用いて製造された半導体装置に関する。
【背景技術】
【０００２】
モーター制御用などの電力用半導体素子と制御用半導体素子を内蔵する樹脂封止型半導体製品は、市場から高機能性を要求されており、従来技術で示すように樹脂封止型半導体製品の内部構造は複雑化している。（例えば、特許文献１参照）
【先行技術文献】
【特許文献】
【０００３】
【特許文献１】国際公開公報ＷＯ９８−２４１２２号
【発明の概要】
【発明が解決しようとする課題】
【０００４】
従来技術では、樹脂注入用ゲートを複数用意し、封止樹脂を２段速度で注入している。しかしながら、樹脂封止体の対向する側面にアウターリードを配置するＤＩＰ型の半導体装置においては、近年の高機能化に応えるべくアウターリードの本数が増大する傾向であり、アウターリードが密集する側面に多数のゲートやエアベント、あるいは面積の大きなゲートやエアベントを設けることが困難であり、未充填やボイドが発生するという課題がある。
更に、主に電力用半導体素子を載置する放熱板と、主に制御用半導体素子を載置する基板は、その厚みや樹脂封止体の厚み方向に対する配置の高さが異なるため、樹脂封止の際に封止樹脂が基板の上層と下層をバランスよく流動しない場合は、樹脂の合流点、即ちウェルドライン上に未充填やボイドが発生して製品の信頼性が懸念される。
【０００５】
従って、本発明は、上述した課題を解決するためになされたものであり、樹脂封止の際の未充填やボイド発生を低減することができる半導体装置を提供することを目的とする。
【課題を解決するための手段】
【０００６】
上述の課題を解決するために、本発明は以下に掲げる構成とした。放熱板１と、基板２と、が樹脂封止体３の短手方向に並べて配置される半導体装置１００において、樹脂封止の際、樹脂封止体３の短手側側面に、エアベント４を配置し、樹脂封止体の長手側側面に、エアベントから乖離してゲート５を配置する製造方法にて製造されることを特徴とする。
【発明の効果】
【０００７】
本発明は、以上のように構成されているので、樹脂封止の際の未充填やボイド発生を低減し、信頼性の高い半導体装置を提供することができる。
【図面の簡単な説明】
【０００８】
【図１】本発明の実施例１に係る半導体装置の平面概念図である。
【発明を実施するための形態】
【０００９】
以下、本発明を実施するための形態について、図を参照して詳細に説明する。なお以下の図面の記載において、同一または類似の部分には、同一または類似の符号で表している。但し、図面は模式的なものであり、寸法関係の比率等は現実のものとは異なる。したがって、具体的な寸法等は以下の説明を照らし合わせて判断するべきものである。また、図面相互間においても互いの寸法の関係や比率が異なる部分が含まれていることは勿論である。
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【実施例１】
【００１０】
以下、図面を参照して本発明の実施例１に係る半導体装置１００を説明する。図１は、本発明の実施例に係る半導体装置１００の平面概念図である。
【００１１】
図１に示すように、半導体装置１００は、放熱板１、基板２、樹脂封止体３から成っている。
【００１２】
放熱板１は、主に電力用半導体素子を主面に載置し、他方の主面が樹脂封止体３から露出している。電力用半導体素子の発熱を樹脂封止体の外部に放熱するため、熱熱伝導性の高い材料を用いることが望ましい。例えば銅材あるいはアルミニウム材を用いてもよい。
【００１３】
基板２は、樹脂封止体３の内部に配置される。電気回路を有し、接合材を介して主に制御用半導体素子を主面に載置する。例えばガラスエポキシ基板を用いてもよい。
【００１４】
樹脂封止体３は、横長の矩形体形状であり、樹脂成形金型とプレス装置を使用して、トランスファーモールドとして、樹脂成形されたものである。例えば、樹脂封止体３には熱硬化性エポキシ樹脂が使用される。なお図中では樹脂封止体３の外表面を破線にて表示している。
以上により、半導体装置１００が完成する。
【００１５】
次に、上述の実施例１に係る半導体装置１００の効果を説明する。
【００１６】
本発明の実施例１に係る半導体装置１００は、請求項１によれば、封止樹脂の流れ３１は、長手方向に対して並行に流動することにより、基板１の上層と下層を安定して流動することが可能であり、樹脂封止の際の未充填やボイド発生を低減し、信頼性の高い半導体装置を提供することができる。
【００１７】
上述のように、本発明を実施するための形態を記載したが、この開示から当業者には様々な代替実施の形態、実施例が可能であることが明らかになるはずである。
【符号の説明】
【００１８】
１、基板
２、放熱板
３、樹脂封止体
３１、封止樹脂の流れ
４、ゲート
５、エアベント
１００、半導体装置
【図１】
2016051832.tif 000003
(57)【要約】      （修正有）【課題】営業担当者が新規お客様を訪問する際、コミュニケーションツールとして使用する商品の販売・拡売用シールを提供する。【解決手段】販促や試飲を進める新規お客様開発に使用されるシールであって、例えばお客様に似ている似顔絵を表示されたシールを用いることで、コミュニケーションが取りやすく、商品の特徴等を説明しやすくする。お客様と営業担当者だけの関係ではなく、「お客様からご家族への気持ちシール」も貼り付けることが出来るので夫婦関係・家族関係を良好にする効果もある。【選択図】なし【特許請求の範囲】
【請求項１】
商品の販売時、営業訪問時において、
商品又は容器、包装に貼付されるシールであって、
商品ごとに多種多様の図形、模様、言葉、メッセージ等が表示され、
選択することが可能であることを特徴とする拡売用シール。
【請求項２】
商品の販売時、営業訪問拡売時において、
上記シールをお客様の希望・選択された商品又は包装、容器に対し、
お客様の好みや目的に応じた表示のシール選択し貼付することを特徴とする商品の販売・拡売方法。
【請求項３】
上記販売、営業する商品は機能性成分を含む商品であることを特徴とする請求項１及び請求項２に記載のシール及び商品の販売・拡売方法。
【請求項４】
商品の販売時・営業訪問時に使用された請求項１に記載のシールの台紙をコンピュータにより、その商品ごとの出荷データと選択されたシールのデータを集計する手段と前記データを記憶する手段とその解析手段とからなる商品の販売・拡販システム。
【発明の詳細な説明】
【技術分野】
【０００１】  この発明は商品の販売時や営業担当者が商品購入者に対して営業活動をする場合に、対面したお客様だけではなく、対面したお客様を介在してその家族等へも商品特徴が伝えられ、夫婦（家族）で購入を検討してもらうことを目的とした商品の販売・拡売用シール及び商品の販売・拡売用シールを使った拡売手法、拡売システムに関する。
【背景技術】
【０００２】  従来、商品の販売時にシールを使用した販売方法等としては、清酒を贈答品として販売する際に、お客様が伝えたいメッセージを主ラベルとして即時加工して販売する方法（特許文献１）があった。【０００３】  また、土産品の包装容器に送り主のメッセージや写真等のシールを貼付して販売する方法（特許文献２）があった。【０００４】
【特許文献１】特開２００４−３２６０６０
【特許文献２】特開２００２−２８４１７４
【発明の概要】
【発明が解決しようとする課題】
【０００５】  これらは、贈答品としてお酒を贈る場合や土産を贈る場合に、贈る相手に対しての感謝や伝えたいメッセージをラベル、シールに表示して販売する方法であって、送り主と受け取り主の関係が既に成立している関係での、日ごろの感謝や自分の感動、感激を伝えるものである。【０００６】  商品の販売時や拡売のための営業訪問時のように、初対面でお客様との関係が成立していない場合のコミュニケーションを図ることは大変である。【０００７】  本発明は商品の販売・拡売時に専用のシールを使用することで、営業担当者と新規お客様とのコミュニケーションツールとして使用し、且つ、お客様の家族でのコミュニケーションを図ることができ、家族が納得して商品購入をすることができる拡売手法、拡売システムである。
【課題を解決するための手段】
【０００８】  上記の課題を解決するため本発明は、商品の販売時、営業訪問時において、商品又は容器、包装に貼付されるシールであって、商品ごとに多種多様の図形、模様、言葉、メッセージ等が表示され、選択することが可能であることを特徴とする拡売用シールである。【０００９】  また、商品の販売時、営業訪問拡売時において、上記記載の拡売用シールをお客様の希望・選択された商品又は包装、容器に対し、お客様の好みや目的に応じた表示のシール選択し貼付することを特徴とする商品の販売・拡売方法である。【００１０】販売・拡売する商品は機能性成分を含む商品であっても良い。【００１１】さらに、  商品の販売時・営業訪問時に使用された上記記載のシールの台紙をコンピュータにより、その商品ごとの出荷データと選択されたシールのデータを集計する手段と前記データを記憶する手段とその解析手段とからなる商品の販売・拡売システムである。
【発明を実施するための形態】
【００１２】  例えば、機能性成分を含んだ飲料等の商品の販売・営業のために新規お客様訪問する場合、予め試供品とシールを用意して訪問する。
【００１３】  対面したお客様にご挨拶後、ご家族分無料セット等の試供品をお渡しする。
【００１４】  お客様が家族と同居している場合、試供品にシールを貼り、ご家族に確実に試供品が渡るように説明する。シールが本人に似ているか、ご家族へのメッセージなどでお客様とコミュニケーションを図り、お客様との距離感を縮めていく。
【００１５】  お客様が家族と同居している場合、例えば対面したお客様が「妻」の場合は、「夫」あるいは「祖母・祖父」、「子供」等お客様の家族に効果ある機能性成分を含む製品の情報を伝え、「夫」等へのメッセンジャーになっていただき、確実に「夫」等に飲んでもらうために、多種多様の図形、模様、言葉、メッセージ等が表示されたシールから「夫」等のために選択した「夫」等専用シールで確認する。
【００１６】  後日、営業担当者が試供品の感想を聞く場合、本人に飲んでいただいたか確認が出来、夫婦（家族）で相談・検討して納得して購入してもらう。
【発明の効果】
【００１７】  商品の拡売手法において、販促や試飲を進める新規お客様開発に使用されるシールであって、お客様に似ている似顔絵等が表示されたシールを用いることで、コミュニケーションが取りやすく、商品の特徴等を説明しやすい。
【００１８】  また、お客様自身で選択された商品を間違いなく摂取でき、説明を聞いたお客様が自分以外の家族分を選択した時にでも誰の商品かわかりやすく、商品が混在していても、お客様が自己及び家族の誰に対して選択・希望した商品か分かりやすくし、確実に目的とする使用等ができる。
【００１９】  お客様と営業担当者だけの関係ではなく、「お客様からご家族への気持ちシール」も貼り付けることが出来、夫婦（家族）で健康効果について相談・検討して申込みとなるので夫婦（家族）のコミュニケーションが深まり、夫婦関係・家族関係を良好にする効果があると考えられる。
【００２０】  これまでは対面した人を中心に営業していたので本人分のみの申込みが多い。拡売用シールを貼る拡売方法では夫婦や家族を契約のターゲットとしているので、１軒あたりの契約単価のアップ効果が得られる。
【００２１】  どのシールが「本人」「夫（家族）」に似ているかのやりとりで盛り上がるので、営業訪問特有の警戒感が大幅に減る効果が得られる。
【００２２】  お客様との距離感が近くなり、お客様の深厚情報（家族構成や関心ある疾病等）を得られる。
【００２３】  商品の販売時・営業訪問時に使用された上記記載のシールの台紙はコンピュータにより、その商品ごとの出荷データと選択されたシールのデータが集計され、営業記録として記録されるとともに、マーケティングデータとして分析、活用される。
(57)【要約】      （修正有）【課題】あたえられた量（Ｎ）より小さな素数の個数をもとめる方法を提供する。【解決手段】与えられた数（Ｎ）の７以上から２，３，５の倍数を除いた残りを2016051160.tif 000019のように表現し、ここに現れる合成数を2016051160.tif 000020のように表現し、これらの式を用いて７以上Ｎ未満の素数の個数と７以上の素因数を持つＮ未満の合成数の個数の和を求め、その数より７以上の素因数を持つＮ未満の合成数の個数を引くことにより７以上Ｎ未満の素数の個数を得、ついで７未満の素数２，３，５の３個を加える。【選択図】なし【特許請求の範囲】
与えられた量より小さな素数の個数を求めるに、合成数を加えた算出方法
【発明の詳細な説明】
【技術分野】
【０００１】  本発明は、従前のようにあたえられた数の素数を求めることなく、先ず７以上の数から２，３，５の倍数を除いた残りの数をもとめ、しかるのち合成数の数を引き去ることにより素数の数を求め。７未満の素数の数３を加える手順をとる。
【発明が解決しようとする課題】
【０００２】  ７以上の数から２，３，５の倍数を除いた数をつくる。
まず、７以上の数を次のように並べかつ、２，３，５の倍数に下線をつける。
2016051160.tif 000002
１行目から３の倍数を除いた数を、次のように２つのグループに分ける
2016051160.tif 000003
上記の数列は７＋３０ｎ、１７＋３０ｎと表わされる等差数列となる。
同じように３，５，７行目から６つ、併せて８つの等差数列を得る。
2016051160.tif 000004
次のようにも表わすことができる。
2016051160.tif 000005
【０００３】  ７＋３０ｎ（▲１▼数列）等差数列上に現れる合成数について
倍数のすべては次のように表わすことができる。
2016051160.tif 000006
１  （７＋３０ｎ）倍数の初項＝（７＋３０ｎ）＊ｔ      とおく。
初項のｔについて
ｉ  ▲１▼の数列の末尾が７であることからｔの末尾は１でなければならない。
ｉｉ  （７＋３０ｎ）＊ｔ  ▲１▼数列上の合成数であること
ｉｉｉ  ｔには１が除かれる
2016051160.tif 000007
したがって、ｔ＝３１
２  （１１＋３０ｎ）倍数について
初項＝  （１１＋３０ｎ）＊ｔとおく
▲１▼の数列の末尾が７であることからｔの末尾は７でなければならない。
2016051160.tif 000008
したがって、ｔ＝１７
３  （１３＋３０ｎ）倍数について
初項＝  （１３＋３０ｎ）＊ｔ  とおく
初項のｔについて
▲１▼の数列の末尾が７であることからｔの末尾は９でなければならない。
2016051160.tif 000009
したがって、ｔ＝１９
４  （１７＋３０ｎ）倍数について
初項＝  （１７＋３０ｎ）＊ｔとおく
初項のｔについて
▲１▼の数列の末尾が７であることからｔの末尾は１でなければならない。
2016051160.tif 000010
したがって、ｔ＝１１
５  （１９＋３０ｎ）倍数について
初項＝  （１９＋３０ｎ）＊ｔとおく
初項のｔについて
▲１▼の数列の末尾が７であることからｔの末尾は３でなければならない。
2016051160.tif 000011
したがって、ｔ＝１３
６  （２３＋３０ｎ）倍数について
初項＝  （２３＋３０ｎ）＊ｔとおく
初項のｔについて
▲１▼の数列の末尾が７であることからｔの末尾は９でなければならない。
2016051160.tif 000012
したがって、ｔ＝２９
７  （２９＋３０ｎ）倍数について
初項＝  （２９＋３０ｎ）＊ｔ  とおく
初項のｔについて
▲１▼の数列の末尾が７であることからｔの末尾は３でなければならない。
2016051160.tif 000013
したがって、ｔ＝２３
８  （３１＋３０ｎ）倍数について
初項＝  （３１＋３０ｎ）＊ｔとおく
初項のｔについて
▲１▼の数列の末尾が７であることからｔの末尾は７でなければならない。
2016051160.tif 000014
したがって、ｔ＝７
以下、残りの７つの数列▲２▼▲３▼▲４▼▲５▼▲６▼▲７▼▲８▼についても同様にもとめることができる。
次に、すべてのｔを示す。
2016051160.tif 000015
ここで合成数の一般式をもとめる。
2016051160.tif 000016
【発明の開示】
与えられた量（数）をＮとするときＮより小さな素数の個数をもとめる。
【０００４】７未満の素数は２，３，５の３個である。
【０００５】Ｎが７以上のとき、２，３，５の倍数を除いた数から７以上の素数を求む。
2016051160.tif 000017
【０００６】与えられた量（Ｎ）より小さな素数の個数をもとめる
2016051160.tif 000018
おわり
(57)【要約】【課題】構造が簡単で掃除がしやすく、衛生的に爪楊枝を取り出す爪楊枝箱を、提供することを目的としている。【解決手段】図に示すように爪楊枝槽１に爪楊枝１０を入れる。入れた爪楊枝１０は爪楊枝槽１下側開口部３から回転コマ４に設けた溝５に落ち納まる。そこで回転コマ４に設けたツマミ８を使い回転コマ４を回し、爪楊枝受け９に溝５の爪楊枝１０を転がし置くことが出来る。また、回転コマ４を９０°回転したら開口部３を回転コマ４で蓋をし、爪楊枝１０の落下をふせぐことができる。尚、回転コマ４を回転するため設けたツマミ８のストップ位置を決める振り子６とストッパー７を設ける、それにより爪楊枝１０を正確に爪楊枝受け９に置くことが出来る効率の良い効果が可能になる作用を有する。【選択図】図２
2016039897.tif 000002
【特許請求の範囲】
【請求項１】
角度の付いた側壁と開口部を設けた爪楊枝を収納する爪楊枝槽と、その爪楊枝が納まる溝を設けた円柱型の回転コマと、その回転コマを回す左右のツマミと、回転コマを正確に止める振り子とストッパーを設け、溝から落ちてきた爪楊枝を受ける爪楊枝受けから構成された爪楊枝箱。
【発明の詳細な説明】
【技術分野】
【０００１】本発明は本体の構造が簡単で洗浄がしやすく、爪楊枝を衛生的に取り出す爪楊枝箱に関するものである。
【背景技術】
【０００２】一般に飲食店で使われている爪楊枝箱は、縦型の筒に爪楊枝を差してあるか。また、蓋の付いた横型の箸置きと並んで置いて有るのが主流である。それにより爪楊枝を取る際必要以上にほかの爪楊枝を触ってしまい不衛生である。また、他の装置は構造が複雑でコストが掛る。尚、その爪楊枝箱を清掃する際水洗いがしにくく不衛生である。（特開文献１）
【先行技術文献】
【特許文献】
【０００３】
【特許文献１】特開２００１−８４８０
【発明の概要】
【発明が解決しようとする課題】
【０００４】このような従来の爪楊枝箱は、爪楊枝を取る際、必要の無い他の爪楊枝を触り、ごみ・誇り・菌を付けてしまう恐れがある。また、複雑な構造の爪楊枝箱を綺麗に衛生的に洗えるか疑問である。【０００５】本発明はこのような従来の課題を解決するものであり、爪楊枝箱の掃除がしやすく、衛生的に爪楊枝を箱から取り出す爪楊枝箱を提供することを目的とする。
【課題を解決するための手段】
【０００６】爪楊枝を収納する角度の付いた側壁と開口部を設けた爪楊枝槽と、その爪楊枝が落ち納まる溝を設けた円柱型の回転コマと、その回転コマと一体となった左右のツマミと、回転コマを正確に止める振り子とストッパーを設ける。また、回転して溝から落ちた爪楊枝を受け止める爪楊枝受けから構成されたものである。【０００７】この手段により、角度の付いた爪楊枝槽に納めた爪楊枝を自然に開口部へ導き、回転コマに設け爪楊枝１本入る溝へ落とし納めることが出来る。また、回転コマの両端に回転コマを回すツマミを左右に設けることで左右どの位置からでも操作が出来る。また、爪楊枝受けを設けることでつかみ易く衛生的に手にすることが出来る効率の良い爪楊枝箱が得られる。
【発明の効果】
【０００８】本発明によれば角度のついた側壁を設けることで爪楊枝を開口部へ導き回転コマに設けた溝に１本ずつ正確に落とし納めることが出来る。また、回転コマを回すツマミを左右に設けることで広い範囲から操作できる。尚、爪楊枝受けを設けることで溝から放れた爪楊枝を揃えることが出来る。それにより、爪楊枝槽に入れた爪楊枝は人の手に触れる事無く衛生的に取り出すことが出来る。また、回転コマを円柱型にすることで溝が爪楊枝受け部に来ても開口部に回転コマで蓋をし、爪楊枝の落下を防ぐことの出来る効果のある爪楊枝箱を提供できる。
【図面の簡単な説明】
【０００９】
【図１】本発明の爪楊枝箱正面図
【図２】本発明爪楊枝箱断面図
【図３】本発明回転コマの溝を９０°回した断面図
【発明を実施するための形態】
【００１０】図１〜３に示すように爪楊枝槽１に爪楊枝１０を入れる。入れた爪楊枝１０は爪楊枝槽１下側開口部３から回転コマ４に設けた溝５に落ち納まる。そこで回転コマ４に設けたツマミ８を使い回転コマ４を回し、爪楊枝受け９に溝５の爪楊枝１０を転がし置くことが出来る。また、回転コマ４を９０°回転したら開口部３を回転コマ４で蓋をし、爪楊枝１０の落下を防ぐ。尚、回転コマ４を回転するため設けたツマミ８のストップ位置を決める振り子６とストッパー７を設ける。それにより爪楊枝１０を正確に爪楊枝受け９に置くことが出来る効率の良い効果が可能になる作用を有する。
【符号の説明】
【００１１】１  爪楊枝槽
２  側板
３  開口部
４  回転コマ
５  溝
６  振り子
７  ストッパー
８  ツマミ
９  爪楊枝受け
１０  爪楊枝
１１  蓋
【図１】
2016039897.tif 000003
【図２】
2016039897.tif 000004
【図３】
2016039897.tif 000005
(57)【要約】【課題】連接部の長さや方向を調整できる構造をもち、カーテンやブラインドを任意の位置に設定できるブラケットを提供する。部屋の窓を開けて外気を入れながらでも外から部屋のなかが見えないような最適な位置にカーテンやブラインドを設置できる。【解決手段】ブラケットの連接部（１Ｃ）を伸縮可能な構造にするとともに、壁取付部（１Ｂ）との結合部（１Ａ）を回動可能で任意に角度を設定できる構造にする。  使用時は連接部（１Ｃ）を任意の長さに伸ばし、窓からカーテンやブラインドを離すとともに、結合部（１Ａ）の角度を調整し、開放した窓から部屋のなかが見えてしまわないような位置にカーテン又はブラインドを移動させる。  使用しないときは、ブラケットの連接部の長さや結合部の角度を元に戻し、普通のカーテンやブラインドとして使用する。【選択図】図１
2016039895.tif 000002
【特許請求の範囲】
【請求項１】
連接部（１Ｃ）が伸縮可能で、任意の長さに設定することができる構造であることを特徴とするカーテンレール又はブラインドボックス用ブラケット。
【請求項２】
連接部（１Ｃ）と壁取付部（１Ｂ）とを枢軸で結合する構造であることを特徴とし、連接部の水平角度を任意に設定できることを特徴とする請求項１に記載のカーテンレール又はブラインドボックス用ブラケット。
【発明の詳細な説明】
【技術分野】
【０００１】  この発明はブラケットの連接部を伸縮可能で角度調整が可能な構造にしたことで、カーテンやブラインドの位置を任意に設定できるブラケットに関するものである。
【背景技術】
【０００２】  従来ブラケットの形状は固定されており、カーテンレールやブラインドボックスの位置を移動させることはできなかった。
【発明の開示】
【発明が解決しようとする課題】
【０００３】  従来、通気などのため部屋の窓を開けると、外から部屋のなかが丸見えになる。しかし、カーテンやブラインドを閉めてしまうと外気がスムーズに部屋の中へ入ってこない。更に、風の強さによっては風圧でカーテンやブラインドがめくれて外から部屋のなかが見えてしまうという不安が残る。対策として窓辺にパーティションなどを置くと効果的だが、パーティションは使用しないとき収納場所を必要とし不便である。
本発明は、以上のような欠点をなくすためになされたものである。
【課題を解決するための手段】
【０００４】  ブラケットの連接部（１Ｃ）を伸縮可能で任意の長さに設定できる構造にする。
その構造としては、テレスコピック構造やラチス構造などが考えられるが、収納時の見ための美しさなどからテレスコピック構造がより好ましい。【０００５】  ブラケットの連接部（１Ｃ）と壁取付部（１Ｂ）との結合部に枢軸（１Ｄ）を設け水平方向に回動可能とし、その水平角度を任意に設定できる構造にする。【０００６】  ブラケットの連接部（１Ｃ）とカーテンボックス又はブラインドボックス（２）との結合点に結合枢軸（１Ｅ）を設け、回動可動に枢着させる。
【発明の効果】
【０００７】  窓から離れた適切な位置にカーテンやブラインドを設置することで、カーテンやブラインドをパーティションのように用いることができる。この結果、窓を開放しても外から部屋の中を見られることを防げるとともに、開放した窓からスムーズに外気を取り入れることができる。【０００８】  更に、カーテン又はブラインドと窓との間にできる隙間が風のにげ道となり風圧が分散され、カーテン又はブラインドがめくれて外から部屋の中が見えてしまうような心配もなくなる。強風の場合は、窓の開け具合で風圧を調整すればよい。【０００９】  使用しないとき（収納時）は、ブラケットを元に戻すと通常のカーテンやブラインドとして使用できるため、パーティションのように収納場所を必要としない。
【発明を実施するための最良の形態】
【００１０】  使用時は、連接部（１Ｃ）を伸ばし、カーテン又はブラインドと窓との距離を調整するとともに、結合部（１Ａ）の回転角度の調整により連接部の水平角度を調整することでカーテン又はブラインドの位置を左右に移動させ、カーテンやブラインドの端にできる隙間から部屋のなかを見られるようなことがないように位置を設定する。【００１１】  カーテン又はブラインドがパーティションの役目をすることで、窓を開けていても外から部屋のなかが見られることがないようにすることができる。【００１２】  使用しないとき（収納時）はブラケットの連接部の長さや結合部の角度を元に戻すことでカーテンやブラインドを元の位置に戻し、普通のカーテン又はブラインドとして使用する。
【図面の簡単な説明】
【００１３】
【図１】  本発明の使用時の全体像の斜視図である。
【図２】  本発明の使用時の横からみた断面図である。
【図３】  本発明の収納時の横からみた断面図である。
【図４】  本発明の使用時の上からみた断面図である。
【図５】  本発明の収納時の上からみた断面図である。
【符号の説明】
【００１４】１Ａ  ブラケットの結合部
１Ｂ  ブラケットの壁取付部
１Ｃ  ブラケットの連接部
１Ｄ  ブラケットの結合部と壁取付部との結合枢軸
１Ｅ  ブラケットの連接部とカーテンレール又はブラインドボックスとの結合枢軸
２    カーテンレール又はブラインドボックス
３    カーテン又はブラインド
４    窓
【図１】
2016039895.tif 000003
【図２】
2016039895.tif 000004
【図３】
2016039895.tif 000005
【図４】
2016039895.tif 000006
【図５】
2016039895.tif 000007
(57)【要約】【課題】解決しようとする問題点は、本人以外が歯の裏側を歯垢歯石除去する際に、歯石除去具だけでは歯垢歯石が付着した部分を目視確認できない点である。また、本人が歯の裏側を歯垢歯石除去する際に、口内を鏡に映しながら歯垢歯石を除去するが、歯石除去具だけでは歯垢歯石が付着した部分の目視が困難である点である。【解決手段】棒の先端に曲がり針を設け、棒に支柱を刺し、支柱に鏡を設けたことを特徴とする歯垢歯石除去具。【選択図】図１
2016039890.tif 000002
【特許請求の範囲】
【請求項１】
棒の先端に曲がり針を設け、棒に支柱を刺し、支柱に鏡を設けた歯垢歯石除去具。
【発明の詳細な説明】
【技術分野】
【０００１】
本発明は、歯垢歯石除去が容易な歯垢歯石除去具に関するものである。
【背景技術】
【０００２】
従来、電源を用いない安価な歯垢歯石除去具は先端が鋭利な棒状の器具であり、歯垢歯石除去具と口内鏡は別々の器具である。そのため、本人以外が歯の裏側の歯垢歯石を除去する場合は、歯垢歯石が付着した部分を目視するために片手に口内鏡を持ち、もう一方の手で歯垢歯石除去具を持って歯垢歯石を除去する。
また、本人が歯の裏側を歯石除去する場合は、鏡の前で口を大きく開けて、鏡に口内を映しながら片手に歯垢歯石除去具を持って歯垢歯石除去する。
【先行技術文献】
【特許文献】
【０００３】
【特許文献１】特開２００１−８８９４号公報
【発明の概要】
【発明が解決しようとする課題】
【０００４】
解決しようとする問題点は、本人以外が歯の裏側を歯垢歯石除去する際に、歯石除去具だけでは歯垢歯石が付着した部分を目視確認できない点である。
また、本人が歯の裏側を歯垢歯石除去する際に、鏡に口内を映しながら歯垢歯石を除去するが、歯垢歯石除去具だけでは歯垢歯石が付着した部分の目視確認が困難である。困難である理由は、本人が下の歯の裏側を歯石除去する場合、口を大きく開けて歯垢歯石除去しなければならず、口を大きく開けているため長時間作業する事はできない。また、上の歯の裏側は直接鏡に映すこと自体が不可能であり、たとえ片手に口内鏡を持って歯垢歯石が付着した部分を鏡に映すことができても、もう一方の手に歯垢歯石除去具を持って歯垢歯石除去することは大変困難な作業である。
本発明は以上の問題点を解決するものである。
【課題を解決するための手段】
【０００５】
本発明は、棒の先端に曲がり針を設け、棒に支柱を刺し、支柱に鏡を設けた歯垢歯石除去具。
以上の構成によりなる歯垢歯石除去具である。
【発明の効果】
【０００６】
従来困難とされていた片手で行う歯の裏側の歯垢歯石除去を、本発明により可能にし、容易に歯垢歯石除去をすることができる。片手で歯垢歯石除去できるので、もう一方の空いた手で体の一部を押さえるなどの補助作業を実現可能とする利点がある。口内鏡を取り外して除去することができるため、歯の表側の歯垢歯石除去に口内鏡がじゃまになることはない。
本発明は電源を用いない安価な簡素な歯垢歯石除去具であるため、一般人が家庭でいつでも使うことができる。
【図面の簡単な説明】
【０００７】
【図１】本発明の斜視図
【発明を実施するための形態】
【０００８】
以下、本発明の実施の形態を説明する。
（イ）棒（１３）の先端に曲がり針（１４）を設ける。
（ロ）鏡（１１）に支柱（１２）を設ける。
（ハ）棒（１３）に穴を設け、支柱（１２）を刺す。
本発明は以上のような構造である。
本発明を使用するときは、鏡（１１）に歯の裏側の歯垢歯石付着部分を映し、曲がり針（１４）で歯垢歯石を除去する。歯の表側の歯垢歯石を除去する際は、邪魔にならないように支柱（１２）を棒（１３）から取り外し、曲がり針（１４）で歯垢歯石を除去する。
【符号の説明】
【０００９】
１１  鏡、１２  支柱、１３  棒、１４  曲がり針
【図１】
2016039890.tif 000003
(57)【要約】【課題】  通信装置の商用電源線から侵入して別の信号線で接続された他装置に抜ける、または、その逆の経路を辿るコモンモードの誘導雷に対し、簡単な構成で、通信装置を雷サージ等の過電圧から保護するための雷防護システムを得る。【解決手段】  信号線を介して他の装置と接続される通信装置と、商用電源線路を介して電力を供給される商用電源線と、前記通信装置に接続され、前記商用電源線から供給された電力を前記通信装置で使用可能な形式に変換するＡＣアダプタと、このＡＣアダプタと前記商用電源線との間に接続され、絶縁トランスからなる雷防護アダプタとを備えた。【選択図】  図１
2016039281.tif 000002
【特許請求の範囲】
【請求項１】
信号線を介して他の装置と接続される通信装置と、
商用電源線路を介して電力を供給される商用電源線と、
前記通信装置に接続され、前記商用電源線から供給された電力を前記通信装置で使用可能な形式に変換するＡＣアダプタと、
このＡＣアダプタと前記商用電源線との間に接続され、絶縁トランスからなる雷防護アダプタとを備えた雷防護システム。
【発明の詳細な説明】
【技術分野】
【０００１】
この発明は、通信装置の商用電源線から侵入して、商用電源線とは別の信号線で通信装置に接続された他装置に抜ける、または、その逆の経路を辿るコモンモードの誘導雷に対し、通信装置を雷サージ等の過電圧から保護するための雷防護システムに関するものである。
【背景技術】
【０００２】
従来技術として、一対の通信線路間に、２個の双方向性２端子サイリスタを直列接続し、その接続点の中点をアース端子に接続するか、あるいは、商用電源側にバイパスさせる接続として、通信線路に侵入する過電圧をアースまたは電源線路に導いて、通信装置を過電圧から防護する雷防護アダプタがある（例えば、特許文献１参照）。
【０００３】
また、別の従来技術として、公衆回線側からの通信回線と通信装置側の通信回線とが第１の光伝送系と第２の光伝送系とによって電気的に完全に絶縁・分離し、さらに、それぞれの光伝送系を駆動する電源を第１及び第２の電源回路で別個にとることにより、公衆回線側から入力された雷サージが通信回線からも電源系からも回り込むことなく、どのような雷サージからも通信装置を保護することができる雷防護アダプタがある（例えば、特許文献２参照）。
【先行技術文献】
【特許文献】
【０００４】
【特許文献１】特開平９−１８２２７６号公報（第３−４頁、第１図）
【特許文献２】特開平１１−９７７１９号公報（第３−４頁、第１図）
【発明の概要】
【発明が解決しようとする課題】
【０００５】
特許文献１では、雷防護アダプタ本体が大きく、配線も煩雑であるという問題点があった。
【０００６】
また、特許文献２では、信号速度が遅くなってしまうという問題点があった。
【０００７】
この発明は、上述のような課題を解決するためになされたものであり、通信装置の商用電源線から侵入して別の信号線で接続された他装置に抜ける、または、その逆の経路を辿るコモンモードの誘導雷に対し、簡単な構成で、通信装置を雷サージ等の過電圧から保護するための雷防護システムを得ることを目的としたものである。
【課題を解決するための手段】
【０００８】
この発明に係る雷防護システムは、信号線を介して他の装置と接続される通信装置と、商用電源線路を介して電力を供給される商用電源線と、前記通信装置に接続され、前記商用電源線から供給された電力を前記通信装置で使用可能な形式に変換するＡＣアダプタと、このＡＣアダプタと前記商用電源線との間に接続され、絶縁トランスからなる雷防護アダプタとを備えたものである。
【発明の効果】
【０００９】
この発明に係る雷防護システムは、通信装置に接続されるＡＣアダプタと商用電源線との間に、絶縁トランスからなる雷防護アダプタを接続する簡単な構成で、通信装置が雷サージ等の過電圧に対して強くなるようにできるという効果がある。
【図面の簡単な説明】
【００１０】
【図１】本発明に係る雷防護システムを示す全体構成図である。
【発明を実施するための形態】
【００１１】
実施の形態１．
図１は、本発明に係る雷防護システムを示す全体構成図である。
【００１２】
信号線１は通信線路Ｌ１、Ｌ２を介して他の装置と通信装置２とを接続している。通信装置２に接続されたＡＣアダプタ３は、ＡＣコンセント４から供給された電力を通信装置２で使用可能な形式に変換し、商用電源線としてのＡＣコンセント４は、商用電源線路Ｐ１、Ｐ２を介して供給された電力をＡＣアダプタ３へ出力している。
【００１３】
従来は、通信装置２とＡＣアダプタ３とにそれぞれ耐圧機構を備え、雷サージ等の過電圧を、通信装置２とＡＣアダプタ３とのそれぞれの耐圧機構で分散して耐圧するようにしていたが、本実施の形態１では、この構成に加え、さらに、ＡＣアダプタ３とＡＣコンセント４との間に、絶縁トランスのみからなる雷防護アダプタ５を接続するようにした。
【００１４】
雷が印加される経路に耐圧部品を１か所設ける場合に対して、直列に分散して複数の耐圧部品を設ける場合の合計耐圧が同じであれば、同等の耐圧効果が得られる。実施の形態１では、この性質を利用して、通信装置２とＡＣアダプタ３とにそれぞれ設けた耐圧機構に加え、ＡＣアダプタ３とＡＣコンセント４との間に雷防護アダプタ５を挿入したことにより、システム全体として、雷防護アダプタ５の絶縁トランスの耐圧分の耐圧を強くすることができる。
【００１５】
特に、屋内でのアース接地が困難な場所で通信装置２を使用したい場合、通信装置２のＡＣコンセント４から侵入して別の信号線１で接続された他装置に抜ける、またはその逆の経路を辿るコモンモードの誘導雷に対する耐圧を雷防護アダプタ５の絶縁トランスの耐圧分上げることにより、誘導雷の侵入を防ぐことができる可能性が高くなる。
【００１６】
また、雷防護アダプタ５は絶縁トランスのみからなるので、非常に小型であり、信号速度性能に影響を与えることもない。また、雷防護アダプタ５はＡＣアダプタ３とＡＣコンセント４との間に接続するだけなので、配線も非常に容易である。
【符号の説明】
【００１７】
１  信号線
２  通信装置
３  ＡＣアダプタ
４  ＡＣコンセント
５  雷防護アダプタ
【図１】
2016039281.tif 000003
(57)【要約】      （修正有）【課題】小型、軽量で、薄型、且つ低製造コスト、低材料コストでありながらＶＳＷＲ特性、高利得、広帯域特性が得られる高性能なアンテナを提供する。【解決手段】接地導体板に対向して位置する線状の共振モード約１／４波長の導体線からなるスネーク状に屈曲された放射導体線１０１の先端に給電点１０５を有し、直線偏波を発生するアンテナとする。【選択図】図１
2016039624.tif 000002
【特許請求の範囲】
【請求項１】
接地導体板に対向して位置する線状の共振モード約１／４波長の放射導体線からなるアンテナにおいてスネーク状に屈曲さされていることを特徴とするアンテナである。
【請求項２】
請求項１において、放射導体線は金属素材でできた数ｍｍの直径を持つ丸線であることを特徴とするアンテナである。
【請求項３】
請求項１において、接地導体板は車両の金属ボディや金属素材からなる接地導体であることを特徴とするアンテナである。
【請求項４】
請求項１において、受信した信号を増幅するプリアンプを備えることを特徴とするアンテナである。
【請求項５】
請求項１において、単独で、複数の放送波を受信できることを特徴とするアンテナである。
【請求項６】
請求項１において、本発明を複数設けることにより、複数の放送波を受信できることを特徴とするアンテナである。
【請求項７】
請求項１において、放射導体線は、限られた空間に比較的自由に配置できることを特徴とするアンテナである。
【請求項８】
請求項４において、放射導体線は、限られた空間に比較的自由に配置できることを特徴とするアンテナである。
【請求項９】
請求項１において、パッチアンテナ等、他のエレメントと併せて複数の放送波を受信できることを特徴とするアンテナである。
【請求項１０】
請求項１において、縦横９０度回転させることにより、垂直偏波、水平偏波どちらでも受信できることを特徴とするアンテナである。
【発明の詳細な説明】
【発明の詳細な説明】
【技術分野】
【０００１】本発明は、車両用、民生用のＡＭ／ＦＭ受信アンテナ、ＤＡＢ受信アンテナ、地上波デジタル放送受信アンテナ、携帯電話、スマートフォン送受信アンテナに関する。
【背景技術】
【０００２】車両用、民生用ＡＭ／ＦＭ受信用アンテナでは、１ｍ程度のロッドアンテナやコイル等を使いローディングをし小型化したアンテナが主流であった。前者は小型化が難しい。又、後者は小型化ができる反面、性能が劣化し高性能化が難しい、構造が複雑になり、材料コストが高くなる等の問題があった。
【発明が解決しようとする課題】
【０００３】小型、軽量で、薄型、且つ低製造コスト、低材料コストでありながらＶＳＷＲ特性、高利得、広帯域特性が得られる高性能なアンテナを提供することにある。
【課題を解決するための手段】
【０００４】接地導体板に対向して位置する線状の共振モード約１／４波長の導体線からなるスネーク状に屈曲された放射導体線１０１の先端に給電点１０５を有し、性能を劣化することなく、直線偏波を発生するアンテナとする。これにより、シンプルな構成ながら小型、軽量で、薄型、且つ低製造コスト、低材料コストでありながら、ＶＳＷＲ特性、高利得、広帯域特性が得られるアンテナを実現することができる。
【０００５】また、柔らかい線状の放射導体線を使用することにより、限られた空間に比較的自由に配置することができ空間を有効活用することができる。
【０００６】また、サイト閲覧はインターネット等のネッワークを利用したクライアント側で用意されたブラウザである。
【発明の実施形態】
以下、図面を参照して、本発明の実施例について説明する。
【０００７】本発明第１  の実施形態によるアンテナの放射導体線を図１  に示す。
ＡＭ／ＦＭ放送波受信用は放射導体線を伸ばしたときの全長は約８００ｍｍ程度となり、スネーク状に屈曲させたときの縦長は約２００ｍｍ、横長は約４０ｍｍ程度となる。
【０００８】地上デジタル放送波受信用は放射導体線を伸ばしたときの全長は約１３０ｍｍ程度となり、スネーク状に屈曲させたときの縦長は約５０ｍｍ、横長は約２０ｍｍ程度となる。
【発明の効果】
【０００９】以上説明したように、本発明により、直線偏波を発生する小型、軽量で、薄型、且つ低製造コスト、低材料コストでありながらＶＳＷＲ特性、高利得、広帯域特性が得られる高性能なアンテナの提供が可能となる。
【図面の簡単な説明】
【００１０】
【図１】本発明の第１の実施形態の放射導体線を上空から示した図である。
【図２】本発明の第１の実施形態の放射導体線をアンテナケース１に配置したときの状態を示した斜視図である。
【図３】本発明の第１の実施形態の放射導体線をアンテナケース２に配置したときの状態を示した正面図である。
【図４】本発明の第１の実施形態の放射導体線を地上デジタル放送波用に調整したときのＶＳＷＲ特性。
【図５】本発明の第１の実施形態の放射導体線を地上デジタル放送波用に調整したときの水平方向放射パターン。
【符号の説明】
【００１１】１０１…放射導体線
１０５…給電点
２００…アンテナケース
【図１】
2016039624.tif 000003
【図２】
2016039624.tif 000004
【図３】
2016039624.tif 000005
【図４】
2016039624.tif 000006
【図５】
2016039624.tif 000007
(57)【要約】【課題】  使用時にロールを回して掴み手を作る必要がなく、ペーパーのカットも片手でできる横型ロールペーパーホルダーを提供する。【解決手段】  両側面板と背面板のある、ロールペーパーを横方向に使用するロール収納容器下部に、ペーパーを通す隙間を空けて両側または片側にペーパーの取り出し方向に向けて次第に勾配のきつくなるロール受けを設け、手前側ロール受け下端を、ペーパーにブレーキの掛かる鋭角的突角形状またはゴム等の摩擦力の大きい材質等とした。【選択図】図１
2016112368.tif 000002
【特許請求の範囲】
【請求項１】
両側面板と背面板のある、ロールペーパーを横方向に使用するロール収納容器下部に、ペーパーを通す隙間を空けて両側または片側にペーパーの取り出し方向に向けて次第に勾配のきつくなる逆八の字状のロール受けを設け、手前側ロール受け下端を、ペーパーにブレーキの掛かる鋭角的突角形状またはゴム等の摩擦力の大きい材質等とした横型ロールペーパーホルダー。
【請求項２】
本体手前下隅に切り刃を設けた請求項１記載の横型ロールペーパーホルダー。
【請求項３】
後方のロール受け下端または背面板下端に、本体手前方向に下り勾配を付けたペーパー返しを設けた請求項１または請求項２記載の横型ロールペーパーホルダー。
【発明の詳細な説明】
【技術分野】
【０００１】  本発明は、トイレットペーパーやキッチンペーパー等のロール状のペーパーを横方向に使用する横型のロールペーパーホルダーに関するものである。
【背景技術】
【０００２】  従来、ロールペーパーホルダーとして使用されている製品は、トイレットペーパーホルダーなら、中心軸にロールペーパーを嵌め、先端に切り刃（鋸刃とは限らない）を付けた回動式カバーを上に被せるのが一般的である。【０００３】  キッチンペーパーホルダーは、各種売られているが、ケースにロールを投げ入れる形式と、棒にロールの芯穴を使って嵌め込むだけの単純な製品が一般的だ。いずれも、ミシン目からのカットになる。
【発明の概要】
【発明が解決しようとする課題】
【０００４】  従来のロールペーパーホルダーは、使用時にロールを回して掴み代を作る必要があり、ペーパーをカットする時は、ロールが新しい時は片手でもカットできる製品もあるが、使用によってロールが軽くなってくると両手を使う必要があるから面倒だし、片手の不自由な人は困るし、ペーパー以外の部分を触るから不衛生だし、カバー先端の切り刃でカットする場合は、構造上防水性を持たすことができず、カバー上には物も置けない。【０００５】  トイレットペーパーホルダーでは、中心軸とカット用カバーがあるので、使用によってロールが軽くなってくるとロールが空回りしたり、カバーが振動して音も発した。
【課題を解決するための手段】
【０００６】  両側面板２と背面板３のある、ロールペーパー６を横方向に使用するロール収納容器１下部に、ペーパーを通す隙間を空けて両側または片側にペーパーの取り出し方向に向けて次第に勾配のきつくなる逆八の字状のロール受け４を設け、手前側ロール受け下端５を、ペーパーにブレーキの掛かる鋭角的突角形状またはゴム等の摩擦力の大きい材質等とした。【０００７】  また、トイレットペーパー等で、ミシン目にかかわらない位置でペーパーをカットしたい場合は、本体手前下隅に切り刃７を設ける。【０００８】  また、ロール受け４下部に、本体手前方向に下り勾配を付けたペーパー返し８を設けると、ペーパーの端を掴み易くなる。とくにキッチンペーパー等で、ペーパーが厚く巻きクセがある場合はペーパー端が巻き込まれてしまうので、必須となる。
【発明の効果】
【０００９】  使用でペーパーをロール受けの隙間方向へ引張ると、ペーパーにはロール受けまたはロール受けと背面板との摩擦で第一段のブレーキが掛かるが、使用によって次第にロールが軽くなっても、細くなっていくので、その分だけ次第に勾配のきつくなるロール受け間またはロール受けと背面板間に食い込む形となり安定したブレーキが掛かる。次に手前側ロール受け下端で第二段のブレーキが掛かるので、しっかりとペーパーをカットできる。【００１０】  ロールペーパーの装着は、ペーパーの先端をロール受け間またはロール受けと背面板間の隙間に通してからロールを容器に投げ込めばよいだけで簡単だ。【００１１】  ペーパーのカットは、ペーパーをロール受けの隙間方向へ引き出し、ミシン目からカットする時は、ミシン目が見えたら隙間方向の直角方向へ引張ればよい。ミシン目の突出分が次回使用の掴み代となる。ミシン目以外の任意位置でカットしたい場合は、請求項２の本体手前下隅に切り刃を設けたホルダーを使用し、カット位置が切り刃位置を過ぎた段階で手前上方に引張ってカットする。カット後に手前側ロール受け下端と切り刃間のペーパーは重力で下に垂れ下がり、次回使用時の掴み代となる。【００１２】  片手だけで操作できるから、片手の不自由な人でも使い易く、ペーパーだけしか触らないので完全衛生的である。また、切り刃を使ってミシン目以外の任意位置でカットする場合は、カット後の切り端は本体の下部になるので、いびつなカットになったとしても目立ちぬくい。【００１３】  簡単構造だから安価で提供でき、カバーを付ければ水が掛かっても大丈夫だし、カバーの上部を平坦にすれば上に物を置くこともできる。ミシン目からカットする時はアームを付ければ天井にも取り付けでき、スタンドを付けて傾ければ床面に置く（図３）こともできる。床面に置く場合は根元に浮き上がり防止の重石をつける。【００１４】  任意位置でカットするトイレットペーパー用ホルダーでは、従来製品で使用されるカット用カバーや中心軸が不要だからロールの空回りも無く、振動音も小さく、軸が無いので全体サイズを小さくでき、片手での上下だけの動きになるので、片手が届けば何処へでも取り付けでき、取り付け位置を問わない。【００１５】  また、縦長構造だから、マグネットや粘着剤を使用すれば壁面にはビス無しで簡単に取り付けできる。従来品のトイレットペーパーホルダーの構造なら強度上難しい。
【図面の簡単な説明】
【００１６】
【図１】  ロール受けを両側に設けた断面図
【図２】  ロール受けを片側に設けた断面図
【図３】  床面に置いた場合のロール受けを片側に設けた断面図
【発明を実施するための形態】
【００１７】  単純断面で支持軸が無く、ロールペーパーを横方向に使用するから、トイレットペーパーホルダーならロール幅が狭いので、横方向に予備ロールのスペースを設ければ、横にスライドして使用できる。
【符号の説明】
【００１８】１    ロール収納容器
２    側面板
３    背面板
４    ロール受け
５    手前側ロール受け下端
６    ロールペーパー
７    切り刃
８    ペーパー返し
９    壁面
１０  床面
１１  カバー
１２  スタンド
１３  重石
【図１】
2016112368.tif 000003
【図２】
2016112368.tif 000004
【図３】
2016112368.tif 000005